(57)【要約】【課題】静止した永久磁石の磁場を、永久磁石を動かすことなく時間変化の磁場に変換する方法。つまりは永久磁石の磁場エネルギーを外に仕事を与えるエネルギーに変換する方法。【解決手段】純数学上の数論式の意味する素数の分布の幾何学的構造は複数の永久磁石の同極を点、線、面で接触、又は近接させ配設したときの磁場の幾何学的構造、磁束の分布と等価な関係となる。そして、このときの磁場エネルギーは磁束の振動のエネルギーとなる。磁束の振動のエネルギーは外に仕事を与える。従って磁束の振動のエネルギーを回転エネルギー、電気エネルギーとして利用できる。【選択図】図５
2009290977.tif 000002
【特許請求の範囲】
【請求項１】
複数の永久磁石の同極を点、線、面で接触、又は近接させて配設することにより磁束が縦方向と横方向の２成分に分解し、縦方向と横方向に振動することにより静止した永久磁石の磁場を磁束振動の磁場に変換して力学的エネルギー、電気エネルギーを取り出す方法。
【請求項２】
複数の永久磁石の同極を点、線、面で接触、又は近接させて配設した複数の永久磁石の磁場内に、永久磁石群に垂直な回転自在、振動自在の回転軸を設け回転軸に永久磁石群の上平面に平行で、かつ永久磁石群の磁化方向と直交する磁化方向をもつ、複数の永久磁石を配設することにより回転軸に配設された複数の永久磁石を運動、回転させ、静止した永久磁石の磁場を磁束振動の磁場に変換して力学的エネルギー、電気エネルギーを取り出す方法。
【請求項３】
複数の永久磁石の同極を点、線、面で接触、又は近接させて配設した複数の永久磁石の磁場内に、永久磁石群に垂直な回転自在、振動自在の回転軸を設け回転軸に永久磁石郡の上平面に平行で、かつ永久磁石郡の磁化方向と直交する磁化方向をもつ、複数の永久磁石を同極が点、線、面で接触、又は近接させて配設することにより、回転軸に配設された複数の永久磁石を運動、回転させ静止した永久磁石の磁場を磁束振動の磁場に変換して力学的エネルギー、電気エネルギーを取り出す方法。
【請求項４】
複数の永久磁石の同極を点、線、面で接触、又は近接させて配設したものを銅板と銅板とイオン化傾向が異なる他の金属板、例えばアルミニウ板で包んだ構造物の複数個の組み合わせにより、静止した永久磁石の磁場を磁束振動の磁場に変換して力学的エネルギー、電気エネルギーを取り出す方法。
【発明の詳細な説明】
【技術分野】
【０００１】
本発明は、静止した永久磁石の磁場を時間変化の磁場に変換することにより磁束振動を発生させ、永久磁石の磁場エネルギーを外に仕事を与えるエネルギーに変換することに関する。特に、永久磁石の磁場エネルギーを力学的エネルギー、電気エネルギーに変換することに関するものである。
【背景技術】
【０００２】
従来、電気磁気学では、静止した永久磁石の磁場エネルギーを外に仕事を与えるエネルギーとして利用することは、不可能であるとされてきた。永久磁石を運動させることにより、外に仕事を与えるとされてきた。
また、特開平９−２７１１６３号（特許文献１）は装置に関するものである。
【特許文献１】特開平９−２７１１６３号公報
【発明の開示】
【発明が解決しようとする課題】
【０００３】
従来、静止した永久磁石の磁場エネルギーは外に仕事を与えないエネルギーとされてきた。この磁場エネルギーを外に仕事を与えるエネルギーに変換するには、磁場の時間変化つまり磁束の振動を存在させることが必要である。
この発明が解決しようとする課題は、静止した永久磁石の磁場が磁束振動をともなう磁場に変換可能であるという、原理的解明、そしてその方法である。
また上記特許文献１は、複数の永久磁石の同極を点、線、面で接触、又は近接させ配設した永久磁石の磁場は、時間変化の磁場、つまり磁束振動の存在する磁場であることを考慮していないため、回転軸の振動自在の構造の必要性を記述していない問題点があった。
【課題を解決するための手段】
【０００４】
本出願人は、原理的な解明を実施するにあたり、数学上の素数に関する数論式（数式１）と永久磁石を用いた化学的実験の等価性に注目した。
素数に関する数論式を吟味すると、数論式の意味する幾何学的構造、つまりトーラス球面とかトーラス球面上での運動方程式（数式２）そして力の作用表示（数式３）が求まる。  そして、複数の永久磁石の同極を点で接触させて配設した磁場内での水溶液中のイオン  （水銀イオンとよう素イオン）の分布状態、運動軌道は数論式の意味する内容と一致することを見出した。
【０００５】
【数１】
2009290977.tif 000003
【０００６】
【数２】
2009290977.tif 000004
【０００７】
【数３】
2009290977.tif 000005
【０００８】
このことより、純数学上の素数に関する数論式は、複数の永久磁石の同極接触、又は近接させて配設したときの磁場の幾何学的構造と等価な関係となる。つまり数論式から導かれる幾何学的構造、トーラス球面は複数の永久磁石の同極を点、線、面で接触、又は近接させて配設したときの磁場の幾何学的構造を与える。
【０００９】
数論式から導かれる運動方式はエネルギー方程式ともみなされるので数２よりΦの２乗が全エネルギーに対応する。全エネルギーは数論式より、ｌｎλ（ｋ）×（ｌｎλ（ｋ）＋ｃ）×ω（ωは振動を表示）と対応し、そしてｌｎλ（ｋ）×（ｌｎλ（ｋ）＋ｃ）は解析の結果、磁束の分布に対応する。
よって複数の永久磁石の同極を点、線、面で接触、又は近接させ配設したときの磁場エネルギーは磁束の時間変化、つまり磁束振動のエネルギーに変換する。静止した永久磁石の磁場は複数の永久磁石の同極を点、線、面で接触、又は近接させ配設することにより、時間変化の磁場に変換する。
【００１０】
従って静止した永久磁石の磁場も時間変化の磁場に変換する方法は、複数の永久磁石の同極（Ｎ極とＮ極、又はＳ極とＳ極）を点、線、面で接触、又は近接させて配設すればよい。このように永久磁石が配設された磁場内では実験より、磁性体、磁石は回転運動（自転公転）を行なうし、又銅板を回転させなくても単極誘動現象が発生する。そして、複数の永久磁石の同極を点、線、面で接触、又は近接させ配設したものを銅板とアルミニウム板で包んだとき、銅板とアルミニウムの間に電圧の時間変化（数式４）が発生する。
【００１１】
【数４】
2009290977.tif 000006
【００１２】
磁束振動の磁場は、磁性体、磁石を運動させることは公知である。
複数の永久磁石の同極を点、線、面で接触、又は近接させ配設したときの磁場は磁束振動の磁場であるから、その磁場内に磁性体、磁石をおけば運動する。特に磁石は磁束振動をする磁場との相互作用により安定した大きな運動エネルギー又は回転エネルギーを発生する。
【００１３】
磁束振動をする磁場は、電気エネルギーを発生させることは公知である。
複数の永久磁石の同極を点、線、面で接触、又は近接させ配設したものを銅板とそして銅板とイオン化傾向が異なる金属板、例えばアルミニウム板で包んだ構造物を複数個組み合わせれば磁束振動にともなう共振現象を利用して電気エネルギーを得られる。
【００１４】
磁束振動のエネルギーを力学的エネルギーに変換するとき、磁場内に設置されている回転体としての磁性体、磁石、そして回転体に結合している回転軸は、磁束振動と同調することにより力学的エネルギーを生ずる。従って、回転体としての磁性体、磁石、そして回転軸は回転自在、振動自在に支持されることが力学的エネルギーに変換するときの必要条件となる。
【００１５】
具体的には、複数の永久磁石の同極を点、線、面で接触、又は近接させ配設された永久磁石群が円盤状の形状をなすとき、円盤の中心点から永久磁石群の上平面に垂直に回転軸を設け回転軸に回転体としての磁石を配設すればよい。回転体としての磁石は単構造の永久磁石でもよいし、複数の永久磁石の同極を点、線、面で接触又は近接させ配設した構造でもよい。ただ、単構造の永久磁石は磁極の減衰が考えられ後者の方が有利である。
【発明の効果】
【００１６】
本発明の最大の効果は、永久磁石の磁場エネルギーを外に仕事を与えるエネルギーとして利用できることである。
永久磁石のエネルギーを力学的エネルギー、電気エネルギーとして取り出すことにより  エネルギー供給源として利用できることである。従来は、磁石を動かすことによりエネルギーを得ていたが、本発明は磁石を動かすことなくエネルギーを得られる。
【００１７】
磁束振動のエネルギーを電気エネルギーとして取り出すとき、電気分解反応のエネルギーとして利用できる。例えば、水電解反応（化１）に必要なエネルギーとして利用できる。  化１より水素を得ることが出来る。
【００１８】
【化１】
2009290977.tif 000007
【発明を実施するための最良の形態】
【００１９】
図１は４個の永久磁石を加工、切断等により成形したものを、同極を点で接触させて配設した図である。１は成形した永久磁石、２はプラスチック等の非磁性材料で永久磁石とは接着剤等で固定されている。３は垂直線と永久磁石との傾斜角で０〜１５０度の範囲が望ましい。図１のように永久磁石を配設したときに生じる磁場は、時間変化の磁場である。つまり磁束振動の磁場である。
【００２０】
磁束振動によるエネルギーを力学的エネルギーに変換するには、図２のような回転体を作製する。図２は４の永久磁石を加工、切断等により成形したものを、同極を点で接触させて配設した図である。４は成形した永久磁石、２はプラスチック等の非磁性材料で、永久磁石とは接着剤等で固定されている。３は垂直線と永久磁石との傾斜角で０〜１５０度の範囲が望ましい。
【００２１】
注意すべきことは図１の１の永久磁石は上下方向に磁化された永久磁石、図２の４の永久磁石は左右方向に磁化された永久磁石を用いることである。つまりベースとなる永久磁石群の磁化方向と回転体としての永久磁石群の磁化方向は直交しなければならない。この理由は、電気磁気学上のローレンツ力と関係し、直交構造にしないと回転力が得られない為である。
【００２２】
図３は回転体を回転軸に結合し、そして回転軸は回転自在、振動自在な構造にした図である。５は回転軸でプラクチックとかステンレススチールのような非磁性材料を用いる。６は例えばベアリングのような構造で、回転軸は回転自在であり、かつ上下左右に振動自在な構造である。回転軸と回転体はネジのような構造で固定されていてもよい。回転軸の上端はベアリングのような構造物に支持されている。
【００２３】
図４は回転構造の側面図である。この回転構造図が、磁束振動のエネルギーを回転エネルギーとして取り出す最良の形態である。永久磁石の残留磁束密度、保持力ともに大きくすれば回転エネルギーも大きくなる。
【００２４】
図５は、磁束振動のエネルギーを電気エネルギーに変換する図である。複数の永久磁石の同極を点、線、面で接触、又は近接させ配設したときの磁場は、時間変化の磁場であるから、電圧が発生する。同極接触、又は近接構造の永久磁石を銅板と銅板とイオン化傾向が異なる金属板、例えばアルミニウム板で包んだ構造物を複数個組み合わせることにより、磁束振動の共振現象を利用して有効な電圧を取り出す。図５は２個組み合わせた図を記す。
【産業上の利用可能性】
【００２５】
磁束振動のエネルギーを回転エネルギー、又は電気エネルギーとして取り出すことにより電力として利用できる。
【図面の簡単な説明】
【００２６】
【図１】図１は複数の永久磁石の同極を点で接触させ配設を示す図である。
【図２】図２は複数の永久磁石の同極を点で接触させた配設した回転体を示す図である。
【図３】図３は回転体と回転軸が回転自在、振動自在な状態を示す図である。
【図４】図４は回転装置の側面図である。
【図５】図５は電気エネルギーを取り出す装置図である。
【符号の説明】
【００２７】
１  上下方向に磁化された永久磁石
２  プラスチック板のような非磁性材料
３  垂直線と磁石との傾斜角
４  左右方向に磁化された永久磁石
５  回転軸
６  ベアリングのような回転自在、振動自在な構造物
７  アルミニウム板
８  銅板
９  電圧
１０  上下方向に磁化された永久磁石
【図１】
2009290977.tif 000008
【図２】
2009290977.tif 000009
【図３】
2009290977.tif 000010
【図４】
2009290977.tif 000011
【図５】
2009290977.tif 000012